【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
下記基からなる群より選ばれる１以上のジベンゾジアゾシン単位を含むポリマー。
【化１】
2007535591.tif 000001
(ここで、R1-R8は、独立してH、アルキル、置換アルキル、アリール、置換アリール、ヘテロアリール、置換ヘテロアリール、ハロゲン、-CN、-CHO、-CORa、-CRa=NRb、-ORa、-SRa、-SO2Ra、-PORaRb、-PO3Ra、-OCORa、-CO2Ra、-NRaRb、-N=CRaRb、-NRaCORb、-CONRaRbからなる群より選ばれ、ここで、Ra、Rbは、独立してH、アルキル、置換アルキル、アリール、置換アリール、ヘテロアリール、及び置換ヘテロアリールからなる群より選ばれ、R1-R8、Ra、Rbの2つ以上は、結合して環構造を形成してもよい。)
【請求項２】
下記一般構造式を含むコポリマーである請求項１記載のポリマー。
【化２】
2007535591.tif 000002
(式中、nは反復単位の数であり、-A-は反復単位の少なくとも0.1%を含み、ここで、-A-は、下記基:
【化３】
2007535591.tif 000003
からなる群より選ばれるジベンゾジアゾシン単位であり、
ここで、R1-R8は、独立してH、アルキル、置換アルキル、アリール、置換アリール、ヘテロアリール、置換ヘテロアリール、ハロゲン、-CN、-CHO、-CORa、-CRa=NRb、-ORa、-SRa、-SO2Ra、-PORaRb、-PO3Ra、-OCORa、-CO2Ra、-NRaRb、-N=CRaRb、-NRaCORb、-CONRaRbからなる群より選ばれ、ここで、Ra、Rbは、独立してH、アルキル、置換アルキル、アリール、置換アリール、ヘテロアリール、及び置換ヘテロアリールからなる群より選ばれ、R1-R8、Ra、Rbの2つ以上は、結合して環構造を形成してもよい;
Yは、-Z-、-Z-Ara-、及び-Ara-Z-Arb-より選ばれる1以上の2価の基であり、ここで、Zは、-O-、-S-、-NRc-、-O(CO)-、-O(CO2)-、-(CO)NRc(CO)-、-NRc(CO)-、-OAraO-、フタルイミド、ピロメリトイミド、-CO-、-SO-、-SO2-、-P(O)Rc-、及び-CRcRd-からなる群より選ばれる2価の基であり、ここで、Rc、Rdは、独立してH、アルキル、置換アルキル、アリール、置換アリール、ヘテロアリール、及び置換ヘテロアリールからなる群より選ばれ、結合して環構造を形成してもよく、Ara、Arbは、独立してフェニレン、置換フェニレン、ビフェニル、置換ビフェニル、テルフェニル、置換テルフェニル、ナフチル、置換ナフチル、フルオレニル、置換フルオレニル、アントラセニル、及び置換アントラセニルを含むがこれらに限定されない2価の芳香族単位からなる基より選ばれる。)
【請求項３】
ジベンゾジアゾシン単位のベンゾ炭素原子の1つ以上が窒素で置き換えられている、請求項１又は２記載のポリマー。
【請求項４】
ジベンゾジアゾシン反復単位の1つ以上が、それらのモノカチオン型又はジカチオン型であるか、又は、ジベンゾジアゾシン反復単位の1つ以上がそれらのモノアニオン型又はジアニオン型である、請求項１又は２記載のポリマー。
【請求項５】
架橋可能な官能基、又は化学的に反応性の末端基を含む、請求項１又は２記載のポリマー。
【請求項６】
１以上の金属が、ポリマーにキレート化されているか、共有結合で結合されているか、イオンで結合されているか又はそのいくつかの組合せである、請求項１又は２記載のポリマー。
【請求項７】
置換基R1-R8の1つ以上が、独立して-SO3H、-SO3-、-PO3H又は-PO3-からなる群より選ばれる、請求項１又は２記載のポリマー。
【請求項８】
請求項２記載のポリマーの調製方法であって、塩基の存在下でビスフェノールとアリールジハライドとの求核置換重合反応を含む、前記方法。
【請求項９】
請求項２記載のポリマーの調製方法であって、１以上のビスフェノキシドモノマーと下記基からなる群より選ばれる少なくとも１つのモノマーとの求核置換重合反応を含む、前記方法。
【化４】
2007535591.tif 000004
(ここで、Ar、Ar'は、1,2-フェニレン、1,4-フェニレン、置換1,2-フェニレン、置換1,4-フェニレン、4,4-ビフェニレン、置換4,4'-ビフェニレン、4,4"-テルフェニレン、置換4,4"-テルフェニレン、1,4-ナフチレン、置換1,4-ナフチレン、2,6-ナフチレン、置換2,6-ナフチレン、2,7-フルオレニレン, 置換2,7-フルオレニレン、2,6-アントラセニレン、置換2,6-アントラセニレン; 9,10-アントラセニレン、及び置換9,10-アントラセニレンを含むがこれらに限定されない2価の芳香族単位であり;
X、X'は、独立してクロロ、フルオロ、及びニトロからなる群より選ばれ;
R1-R8は、独立してH、アルキル、置換アルキル、アリール、置換アリール、ヘテロアリール、置換ヘテロアリール、ハロゲン、-CN、-CHO、CORa、-CRa=NRb、-ORa、-SRa、-SO2Ra、-PORaRb、-PO3Ra、-OCORa、-CO2Ra、-NRaRb、-N=CRaRb、-NRaCORb、-CONRaRbからなる群より選ばれ、ここで、Ra、Rbは、H、アルキル、置換アルキル、アリール、置換アリール、ヘテロアリール、及び置換ヘテロアリールからなる群より独立して選ばれ、R1-R8、Ra、Rbの2つ以上が結合して環構造を形成してもよい。）
【請求項１０】
請求項９記載の方法であって、１以上のビスフェノキシドモノマーと下記式の少なくとも１種のモノマーとの求核置換重合反応を含む、前記方法。
【化５】
2007535591.tif 000005
（ここで、Ar、Ar'が同じであり、1,2-フェニレン単位及び1,4-フェニレン単位からなる群より選ばれ、X及びX'、及びR1-R8は先に定義したとおりである。）
【請求項１１】
１以上のビスフェノキシドモノマーが4,4'-ビフェノールである、請求項９記載の方法。
【請求項１２】
請求項１又は２記載のポリマーの調製方法であって、ジハロゲン化ジベンゾジアゾシン誘導体又はジハロゲン化置換ジベンゾジアゾシン誘導体の金属触媒還元カップリングを含む、前記方法。
【請求項１３】
請求項２記載のポリマーの調製方法であって、金属安定化ジカルボアニオン部分とジハロゲン化ジベンゾジアゾシン誘導体又はジハロゲン化置換ジベンゾジアゾシン誘導体との金属触媒カップリングを含む、前記方法。
【請求項１４】
請求項１又は２記載のポリマーの調製方法であって、下記式
【化６】
2007535591.tif 000006
からなる群より誘導される１以上のモノマーの酸触媒自己縮合か又は
下記式
【化７】
2007535591.tif 000007
からなる群より誘導される１以上のモノマーと下記式
【化８】
2007535591.tif 000008
(式中、R1-R16は、独立してH、アルキル、置換アルキル、アリール、置換アリール、ヘテロアリール、置換ヘテロアリール、ハロゲン、-CN、-CHO、CORa、-CRa=NRb、-ORa、-SRa、-SO2Ra、-PORaRb、-PO3Ra、-OCORa、-CO2Ra、-NRaRb、-N=CRaRb、-NRaCORb、-CONRaRbからなる群より選ばれ、ここで、Ra、Rbは、独立してH、アルキル、置換アルキル、アリール、置換アリール、ヘテロアリール、及び置換ヘテロアリールからなる群より選ばれ、R1-R16、Ra、Rbの2つ以上が結合して、環構造を形成してもよい;
S、U、Vは、独立して無いか又は-Z-、-Z-Ara-、及び-Ara-Z-Arb-からなる群より独立して選ばれる1以上の2価の基からなる群より選ばれ、Tは、-Ara-及び-Ara-Z-Arb-からなる群より選ばれ、ここで、Zは、-O-、-S-、-NRa-、-O(CO)-、-O(CO2)-、-(CO)N Ra(CO)-、-NRa(CO)-、-OArbO-、フタルイミド、ピロメリトイミド、-CO、-SO、-SO2、-P(O)Rc-、及び-CRcRd-からなる群より選ばれる2価の基であり、Rc、Rdは、独立してH、アルキル、置換アルキル、アリール、置換アリール、ヘテロアリール、及び置換ヘテロアリールからなる群より選ばれ、また、結合して環構造を形成してもよく、Ara、Arbは、独立してフェニレン、置換フェニレン、ビフェニル、置換ビフェニル、テルフェニル、置換テルフェニル、ナフチル、置換ナフチル、フルオレニル、置換フルオレニル、アントラセニル、及び置換アントラセニルを含むがこれらに限定されない2価の芳香族単位からなる群より選ばれる。)
から誘導される１以上のモノマーとの酸触媒混合縮合を含む、前記方法。
【請求項１５】
請求項１又は２記載のポリマーをスルホン化する方法であって、ポリマーとスルホン化試薬とを反応させることを含む、前記方法。
【請求項１６】
請求項１又は２記載のポリマーをリン酸化する方法であって、ポリマーをリン酸化剤で加熱することを含む、前記方法。
【請求項１７】
請求項１又は２記載のポリマーを酸化させる方法であって、ポリマーと酸化剤とを反応させるか又はポリマーを電気化学的に酸化することを含む、前記方法。
【請求項１８】
請求項１又は２記載のポリマーを還元する方法であって、ポリマーと還元剤とを反応させるか又はポリマーを電気化学的に還元することを含む、前記方法。
【請求項１９】
請求項１又は２記載のポリマーから固体製品を製造する方法であって、前記ポリマーを圧縮成形する、吹込み成形する、射出成形する、又は押出すことを含む、前記方法。
【請求項２０】
請求項１又は２記載のポリマーを使っている電気機械的動作デバイス。
【請求項２１】
請求項１又は２記載のポリマーの１つ以上を含む物品であって、フリースタンディングフィルム、コーティング、繊維、フォーム、不織繊維マット、成形品、半透膜、光ルミネセントデバイス及びエレクトロルミネセントデバイスから選ばれる物品。
【請求項２２】
請求項７記載のポリマーの１つ以上を含むイオン交換膜又は膜電極アセンブリ。
【請求項２３】
下記から選ばれる一般構造式の化合物。
【化９】
2007535591.tif 000009
(式（C1)中、Xはヨード及びニトロからなる群より選ばれる。)
【化１０】
2007535591.tif 000010
(式（C2)中、Xはヨードである。)
【化１１】
2007535591.tif 000011
(式（C3)中、Xはフルオロ、クロロ、ブロモ、ヨード、及びニトロからなる群より選ばれる。)
【請求項２４】
下記一般構造式の化合物。
【化１２】
2007535591.tif 000012
(式（C3)中、Xはフルオロ、クロロ、ブロモ、ヨード、及びニトロからなる群より選ばれる。)
【請求項２５】
請求項２３又は２４の化合物を含む組成物。